(57)【要約】【課題】近距離及び遠距離での美観に優れ、かつ、ドットジャンプが抑制されたグラデーションフィルム、加飾成形品及びグラデーションフィルムの製造方法を提供する。【解決手段】基材層と、グラデーション模様を有するグラデーション印刷層と、を備え、上記グラデーション模様は、少なくとも一色から構成される複数の図形を含み、上記図形は、１ｃｍ２あたり１００個以上、２００個以下配置され、上記グラデーション印刷層において、同一色で構成される上記図形の面積は、上記グラデーション模様の階調が変化する方向に沿って減少し、上記階調が変化する方向における上記図形の最大の長さをＡ、上記階調が変化する方向と直交する方向における上記図形の最大の長さをＢとしたとき、０．８≦Ｂ／Ａ≦１を満たすグラデーションフィルム。【選択図】  図１
2018187855.tif 000002
【特許請求の範囲】
【請求項１】
基材層と、グラデーション模様を有するグラデーション印刷層と、を備え、
前記グラデーション模様は、少なくとも一色から構成される複数の図形を含み、
前記図形は、１ｃｍ２あたり１００個以上、２００個以下配置され、
前記グラデーション印刷層において、同一色で構成される前記図形の面積は、前記グラデーション模様の階調が変化する方向に沿って減少し、
前記階調が変化する方向における前記図形の最大の長さをＡ、前記階調が変化する方向と直交する方向における前記図形の最大の長さをＢとしたとき、０．８≦Ｂ／Ａ≦１を満たすことを特徴とするグラデーションフィルム。
【請求項２】
前記基材層は、ポリ塩化ビニルを含むことを特徴とする請求項１に記載のグラデーションフィルム。
【請求項３】
前記基材層と前記グラデーション印刷層との間に、更に、下地層を備えることを特徴とする請求項１又は２のいずれかに記載のグラデーションフィルム。
【請求項４】
前記グラデーション印刷層の、前記基材層側と反対側の面に、更に、オーバーコート層を備えることを特徴とする請求項１〜３のいずれかに記載のグラデーションフィルム。
【請求項５】
前記オーバーコート層は、ポリ塩化ビニル、アクリル樹脂又はポリカーボネートを含むことを特徴とする請求項４に記載のグラデーションフィルム。
【請求項６】
前記オーバーコート層は、２μｍ以上、２００μｍ以下の厚さを有することを特徴とする請求項４又は５に記載のグラデーションフィルム。
【請求項７】
前記グラデーション印刷層は、第１の色から構成される複数の第１の図形と、前記第１の色とは異なる第２の色から構成される複数の第２の図形と、を含むことを特徴とする請求項１〜６のいずれかに記載のグラデーションフィルム。
【請求項８】
前記複数の第１の図形の面積が減少する方向と、前記複数の第２の図形の面積が減少する方向とは、互いに異なることを特徴とする請求項７に記載のグラデーションフィルム。
【請求項９】
成形品と、前記成形品を覆う請求項１〜８のいずれかに記載のグラデーションフィルムとを備え、
前記成形品と前記グラデーションフィルムとは、粘着剤層を介して積層されていることを特徴とする加飾成形品。
【請求項１０】
少なくとも１色のインクを用いたスクリーン印刷により、グラデーション模様を有するグラデーション印刷層を形成する印刷工程を有し、前記印刷工程では、メッシュ数が１ｃｍ２あたり１００個以上、２００個以下のスクリーン版を用い、かつ、前記メッシュ１個に対して充填される前記インクの量を、前記グラデーション模様の階調が変化する方向に沿って減少させ、
前記スクリーン版の前記メッシュの形状は、前記グラデーション模様の階調が変化する方向における前記形状の最大の長さをＡ、前記階調が変化する方向と直交する方向における前記形状の最大の長さをＢとしたとき、０．８≦Ｂ／Ａ≦１を満たすことを特徴とするグラデーションフィルムの製造方法。
【請求項１１】
前記印刷工程では、第１の色を有する第１のインクと、前記第１の色とは異なる第２の色を有する第２のインクとを用い、前記メッシュ１個に対して充填される、前記第１のインクの量が減少する方向と、前記第２のインクの量が減少する方向とは、互いに異なることを特徴とする請求項１０に記載のグラデーションフィルムの製造方法。
【発明の詳細な説明】
【技術分野】
【０００１】
本発明は、グラデーションフィルム、加飾成形品及びグラデーションフィルムの製造方法に関するものである。
【背景技術】
【０００２】
従来、意匠面を有するフィルムを成形品（被着体）に貼り付けることによって、成形品を装飾する方法が利用されてきた。意匠面を有するフィルムについては、用途拡大や意匠性向上の観点から、更に多様な意匠を実現できることが求められている。
【０００３】
例えば、特許文献１では、基体フィルム上に模様を有する装飾用フィルムであって、該模様が、基体フィルムの地の色と異なる色を有する、等間隔に配置された多数の図形で構成され、図形の各々は、その外周輪郭の内側の地の部分の面積がフィルムの長さ方向に漸増又は漸減することにより、意匠性に優れたグラデーションを形成することができる技術が開示されている。
【０００４】
更に、特許文献２では、基体シート上に等ピッチで並んだ微小なドットの大小で階調表現された下地層が形成された加飾シートにおいて、上記ドットの形状が、０．１≦短径／長径≦０．７８の条件を満たす楕円形状とすることにより、ドットの楕円形状が伸展により長径方向に沿って伸びるように変形してもドットとしての機能を維持できるため、濃度段差の発生しない加飾成形品を得ることができる技術が開示されている。
【０００５】
また、特許文献３では、スクリーン印刷によってパターンを形成する技術において、スクリーン保持枠の内側開口の四隅を略円弧形状とする、又は、スクリーン保持枠の内側開口形状を略楕円形状とすることより、スクリーン保持枠に貼着した紗の伸張が少なく、同一印刷スクリーンを長期間使用できるとともに、印刷に使用した印刷ペーストの除去が容易となる技術が開示されている。
【先行技術文献】
【特許文献】
【０００６】
【特許文献１】特開２００６−２３１８８０号公報
【特許文献２】特開２００３−２５１７８１号公報
【特許文献３】特開２０００−２６３７５０号公報
【発明の概要】
【発明が解決しようとする課題】
【０００７】
上記特許文献１の技術は、遠方から眺めた場合のデザイン性を向上させた技術であり、近距離から眺めた場合にグラデーション模様のドットが目立ち、見た目が粗い。上記特許文献２は、短径／長径が０．１以上、０．７８以下であるドットを用いることにより、グラデーションを表現することは可能であるが、近距離で見た場合、ドットの形状が明確に見えてグラデーションの見栄えは良くない。上記特許文献３では、グラデーションに関する技術については何ら記載されていない。以上のように、グラデーションフィルムにおいて、遠距離だけではなく、近距離での美観を向上させるには未だ改良の余地があった。
【０００８】
本発明は上記現状に鑑みてなされたものであり、近距離及び遠距離での美観に優れ、かつ、ドットジャンプが抑制されたグラデーションフィルム、加飾成形品及びグラデーションフィルムの製造方法を提供することを目的とする。
【課題を解決するための手段】
【０００９】
本発明者らは、近距離及び遠距離での美観に優れ、かつ、ドットジャンプが抑制されたグラデーションフィルム、加飾成形品及びグラデーションフィルムの製造方法について種々検討したところ、グラデーション模様を構成する図形を特定の形状とし、かつ、上記図形の密度を特定の範囲とすることにより、グラデーションの美観が向上することを見出し、本発明に到達した。
【００１０】
本発明のグラデーションフィルムは、基材層と、グラデーション模様を有するグラデーション印刷層と、を備え、上記グラデーション模様は、少なくとも一色から構成される複数の図形を含み、上記図形は、１ｃｍ２あたり１００個以上、２００個以下配置され、上記グラデーション印刷層において、同一色で構成される上記図形の面積は、上記グラデーション模様の階調が変化する方向に沿って減少し、上記階調が変化する方向における上記図形の最大の長さをＡ、上記階調が変化する方向と直交する方向における上記図形の最大の長さをＢとしたとき、０．８≦Ｂ／Ａ≦１を満たすことを特徴とする。
【００１１】
上記基材層は、ポリ塩化ビニルを含むことが好ましい。
【００１２】
上記基材層と上記グラデーション印刷層との間に、更に、下地層を備えることが好ましい。
【００１３】
上記グラデーション印刷層の、上記基材層側と反対側の面に、更に、オーバーコート層を備えることが好ましい。
【００１４】
上記オーバーコート層は、ポリ塩化ビニル、アクリル樹脂又はポリカーボネートを含むことが好ましい。
【００１５】
上記オーバーコート層は、２μｍ以上、２００μｍ以下の厚さを有することが好ましい。
【００１６】
上記グラデーション印刷層は、第１の色から構成される複数の第１の図形と、上記第１の色とは異なる第２の色から構成される複数の第２の図形と、を含むことが好ましい。
【００１７】
上記複数の第１の図形の面積が減少する方向と、上記複数の第２の図形の面積が減少する方向とは、互いに異なることが好ましい。
【００１８】
本発明の加飾成形品は、成形品と、上記成形品を覆う本発明のグラデーションフィルムとを備え、上記成形品と上記グラデーションフィルムとは、粘着剤層を介して積層されていることを特徴とする。
【００１９】
本発明のグラデーションフィルムの製造方法は、少なくとも１色のインクを用いたスクリーン印刷により、グラデーション模様を有するグラデーション印刷層を形成する印刷工程を有し、上記印刷工程では、メッシュ数が１ｃｍ２あたり１００個以上、２００個以下のスクリーン版を用い、かつ、上記メッシュ１個に対して充填される上記インクの量を、上記グラデーション模様の階調が変化する方向に沿って減少させ、上記スクリーン版の上記メッシュの形状は、上記グラデーション模様の階調が変化する方向における上記形状の最大の長さをＡ、上記階調が変化する方向と直交する方向における上記形状の最大の長さをＢとしたとき、０．８≦Ｂ／Ａ≦１を満たすことを特徴とする。
【００２０】
上記印刷工程では、第１の色を有する第１のインクと、上記第１の色とは異なる第２の色を有する第２のインクとを用い、上記メッシュ１個に対して充填される、上記第１のインクの量が減少する方向と、上記第２のインクの量が減少する方向とは、互いに異なることが好ましい。
【発明の効果】
【００２１】
本発明によれば、近距離及び遠距離での美観に優れ、かつ、ドットジャンプが抑制されたグラデーションフィルム、加飾成形品及びグラデーションフィルムの製造方法を提供することができる。
【図面の簡単な説明】
【００２２】
【図１】実施形態１のグラデーションフィルムの一例を示した断面模式図である。
【図２】実施形態１のグラデーション印刷層の一例を示した拡大平面模式図である。
【図３】実施形態１の変形例１に関する図であり、（ａ）はグラデーションフィルムを示した断面模式図であり、（ｂ）はグラデーション印刷層を示した拡大平面模式図である。
【図４】実施形態１の変形例２に関する図であり、（ａ）はグラデーションフィルムを示した断面模式図であり、（ｂ）はグラデーション印刷層を示した拡大平面模式図である。
【図５】実施形態２の加飾成形品の一例を模式的に示した断面図である。
【図６】実施例１のグラデーションフィルムにおけるグラデーション模様の評価方法を説明した図である。
【図７】１６０ｍｍ領域における図形の形状を説明した図である。
【発明を実施するための形態】
【００２３】
以下に実施形態を掲げ、本発明について図面を参照して更に詳細に説明するが、本発明はこれらの実施形態のみに限定されるものではない。また、各実施形態の構成は、本発明の要旨を逸脱しない範囲において適宜組み合わされてもよいし、変更されてもよい。
【００２４】
［実施形態１］
（グラデーションフィルム）
図１は、実施形態１のグラデーションフィルムの一例を示した断面模式図である。図１に示したグラデーションフィルム１０は、基材層１、下地層２、グラデーション印刷層３及びオーバーコート層４が順に積層された積層体である。なお、本実施形態のグラデーションフィルムは、少なくとも基材層１とグラデーション印刷層３とを有するものであればよいが、図１に示したように、基材層１とグラデーション印刷層３との間に下地層２を有してもよい。また、グラデーション印刷層３の基材層１側と反対の面に、オーバーコート層４を有してもよい。
【００２５】
グラデーションフィルム１０は、例えば、成形品の表面の加飾、保護、広告等に用いることができる。また、グラデーションフィルム１０の表面に文字、図柄等を転写し、上記成形品に貼り付けて、広告として用いることもできる。グラデーションフィルム１０は、自動二輪・自動四輪等の車両製品；建築用壁紙等に用いられることが好ましい。
【００２６】
＜基材層＞
基材層１は、グラデーション印刷層３又は下地層２を形成する面である。基材層１に含まれる材料は特に限定されず、例えば、ポリ塩化ビニル（ＰＶＣ）；アクリル樹脂；ポリカーボネート；ポリエチレン、ポリプロピレン、ポリブテン、ポリブタジエン等のポリオレフィン；ポリウレタン；ポリエチレンテレフタレート（ＰＥＴ）、ポリブチレンテレフタレート、ポリエチレンナフタレート等のポリエステル等が挙げられる。なかでも、基材層１は、ポリ塩化ビニルを含むことが好ましい。基材層１がポリ塩化ビニルを含むことにより、グラデーションフィルム１０の製造コストを抑制し、グラデーションフィルム１０をプラスチック樹脂に貼り付ける際の成形加工性を向上させることが可能となる。ここで、上記材料は、単独で使用されてもあるいは２種以上の混合物の形態で使用されてもよい。
【００２７】
上記ポリ塩化ビニルとしては、例えば、塩化ビニルの単独重合体、塩化ビニルと他の単量体との共重合体を挙げることができる。上記他の単量体としては、例えば、酢酸ビニル、プロピオン酸ビニル等のビニルエステル；エチレン、プロピレン、スチレン等のオレフィン；アクリル酸メチル、アクリル酸エチル、メタクリル酸メチル等の（メタ）アクリル酸エステル；マレイン酸ジブチル、マレイン酸ジエチル等のマレイン酸ジエステル；フマル酸ジブチル、フマル酸ジエチル等のフマル酸ジエステル；アクリロニトリル、メタクリロニトリル等のシアン化ビニル；塩化ビニリデン、臭化ビニル等のハロゲン化ビニル；メチルビニルエーテル、エチルビニルエーテル等のビニルエーテル等を挙げることができる。これらは、単独で用いてもよく、２種以上を併用してもよい。
【００２８】
上記他の単量体の共重合体における含有量は、通常、５０重量％以下であり、好ましくは１０重量％以下である。上記ポリ塩化ビニルのなかでも、寸法安定性が得られる点から、塩化ビニルの単独重合体が好ましい。
【００２９】
上記ポリ塩化ビニルの平均重合度は特に限定されず、求められるフィルムの硬さや、硬さの調整に用いられる可塑剤の量に応じて調整されるものであり、上記ポリ塩化ビニルの平均重合度は８００〜１２００であることが好ましい。このような態様とすることにより、加工性を高めることができる。なお、本明細書において、ポリ塩化ビニルの平均重合度は、ＪＩＳ  Ｋ６７２１「塩化ビニル樹脂試験方法」に準拠して測定した平均重合度を意味する。
【００３０】
上記アクリル樹脂としては、アクリル酸メチル、アクリル酸エチル、メタクリル酸メチル等の（メタ）アクリル酸アルキルエステルを挙げることができる。これらは、単独で用いてもよく、２種以上を併用してもよい。
【００３１】
基材層１の膜厚は、１００μｍ以上、５００μｍ以下とすることが好ましい。基材層１の膜厚を上記範囲とすることで、印刷等の加工作業がし易くなる。また、基材層１の膜厚が１００μｍ以上であると、グラデーションフィルム１０を被着体に貼り付けた際に、被着体自体の色が透け難いため、グラデーションフィルム１０のグラデーション模様を忠実に表現することができる。一方、上記膜厚が１００μｍ未満であると、基材層１がカールしてしまい加工し辛くなる場合がある。また、薄くて取り扱いが困難であり、延伸時に抗張力不足により破断等してしまうおそれがある。上記膜厚が５００μｍを超えると、トリミング時に切削が困難となり、加工し辛くなる場合がある。また、コストも増加してしまう。上記膜厚は、２００μｍ以上、４００μｍ以下とすることがより好ましく、２５０μｍ以上、３５０μｍ以下とすることが更に好ましい。
【００３２】
＜グラデーション印刷層＞
グラデーション印刷層３は、グラデーション模様を付与する層である。図２は、実施形態１のグラデーション印刷層の一例を示した拡大平面模式図である。なお、図２、後述する図３の（ｂ）及び図４の（ｂ）は、グラデーション模様を構成する図形を明示するために拡大して図示しており、各グラデーションフィルムを実際に観察する場合、観察者は肉眼で各々の図形を認識するわけではなく、グラデーション印刷層に含まれる複数の図形全体からグラデーション模様を認識する。図２に示したように、グラデーション印刷層３は、グラデーション模様を有し、上記グラデーション模様は、一色から構成される複数の図形３０を含む。図形３０は互いに独立して配置されている。
【００３３】
本実施形態では、図形３０の面積を変化させることで、上記グラデーション模様の階調を変化させることができる。具体的には、上記グラデーション印刷層３において、同一色で構成される図形３０の各々の面積を上記グラデーション模様の階調が変化する方向Ｄに沿って減少させることで、グラデーション模様を実現することができる。
【００３４】
上記階調が変化する方向Ｄにおける図形３０の最大の長さをＡ、階調が変化する方向Ｄと直交する方向における図形３０の最大の長さをＢとしたとき、０．８≦Ｂ／Ａ≦１を満たす。図形３０が０．８≦Ｂ／Ａ≦１を満たすことにより、近距離及び遠距離での美観を向上させることができる。特に、Ｂ／Ａ≦１である場合は、Ｂ／Ａ＞１である場合に比べて階調が変化する方向Ｄにおける図形３０の長さが長く、階調が滑らかに変化するため、近距離及び遠距離での優れた美観が得られる。
【００３５】
本明細書において、図形３０のＢ／Ａは、次のように求めることができる。図形３０が形成された４０ｍｍ四方の領域を、図形３０の面積が減少していく方向に３分割して上部、中部及び下部の３つのサブ領域とし、各々のサブ領域について任意の３つの図形３０のＢ／Ａ（個別値）を算出する。そして、各々のサブ領域について、３つのＢ／Ａ（個別値）を平均してＢ／Ａ（サブ領域）を求める。更に、３つのサブ領域について求めたＢ／Ａ（サブ領域）を平均してＢ／Ａを求めるものとする。
【００３６】
図形３０のＢ／Ａは、０．８３≦Ｂ／Ａ≦１を満たすことが好ましい。このような態様とすることにより、近距離及び遠距離でのグラデーションの美観をより向上させることができる。図形３０のＢ／Ａは、０．８５≦Ｂ／Ａ≦１を満たすことがより好ましく、０．８５≦Ｂ／Ａ≦０．９８を満たすことが更に好ましく、０．８５≦Ｂ／Ａ≦０．９４を満たすことが特に好ましい。
【００３７】
図形３０の形状は０．８≦Ｂ／Ａ≦１を満たせばよく、例えば、円形、楕円形、多角形、涙滴形等を挙げることができる。多角形としては、三角形、四角形、五角形、六角形等が挙げられる。四角形としては、長方形、正方形、平行四辺形、ひし形等が挙げられる。涙滴形とは、円弧状の先端部と、上記円弧状の先端部から後方に延在して互いに交わって終端する二つの側面部とを有する形状をいう。
【００３８】
図形３０の形状は、円形（Ｂ／Ａ＝１）又は正方形（Ｂ／Ａ＝１）であることが好ましい。図形３０の形状を円形又は正方形とすることにより、近距離及び遠距離でのグラデーションの美観をより向上させることができる。なお、本明細書において円形とは、真円であることが好ましいが、本発明の効果の観点から円と同視できるもの（実質的な円）であってもよく、例えば、円の一部に凹凸があるもの等の円に類似する形状、実質的に円と同視できる多角形であってもよい。また、本明細書において正方形とは、本発明の効果の観点から正方形と同視できるもの（実質的な正方形）であってもよく、例えば、正方形の一部に凹凸があるもの等の正方形に類似する形状であってもよい。
【００３９】
図形３０は、１ｃｍ２あたり１００個以上、２００個以下配置される。図形３０が１ｃｍ２あたり１００個以上、２００個以下配置されることにより、ドットジャンプを抑制することができ、美観に優れた高意匠性のグラデーションフィルム１０を得ることができる。１ｃｍ２あたりに配置される図形３０の数が１００個未満の場合、図形３０同士の重なりが大きくなり、視認可能なドットジャンプが生じてしまう。１ｃｍ２あたりに配置される図形３０の数が２００個を超える場合、図形３０を印刷する際に不具合が生じる場合がある。例えば、図形３０をスクリーン印刷法により形成する場合、インクがスクリーン版の網目を設計通りすり抜けることができず、網目にインクが詰まり、印刷上の不具合が生じる場合がある。ここで、ドットジャンプとは、複数の図形３０の少なくとも一部が重なることであり、ドットジャンプが起こることにより、グラデーション模様において色の境界線が目立ちやすくなる場合がある。
【００４０】
図形３０は、１ｃｍ２あたり１１０個以上、１９０個以下配置されることが好ましい。このような態様とすることにより、ドットジャンプをより抑制することができる。図形３０は、１ｃｍ２あたり１２０個以上、１８０個以下配置されることがより好ましい。なお、１ｃｍ２あたりに配置される図形３０の個数は、図形３０の密度ともいう。上記図形３０の密度は、上記Ｂ／Ａを求めた４０ｍｍ四方の領域内の任意の１ｃｍ四方の領域における図形３０の数をカウントすることにより求めることができる。
【００４１】
図形３０が１ｃｍ２あたり１００個以上、２００個以下配置される場合、図形３０の面積は、０．１×１０−３ｍｍ２以上、２０×１０−３ｍｍ２以下であることが好ましい。図形３０が１ｃｍ２あたり１１０個以上、１９０個以下配置される場合、図形３０の面積は、０．５×１０−３ｍｍ２以上、１８×１０−３ｍｍ２以下であることが好ましい。図形３０が１ｃｍ２あたり１２０個以上、１８０個以下配置される場合、図形３０の面積は、１×１０−３ｍｍ２以上、１６×１０−３ｍｍ２以下であることが好ましい。
【００４２】
図形３０は、０．８≦Ｂ／Ａ≦１を満たし、かつ、１ｃｍ２あたり１００個以上、２００個以下配置されていれば、どのように並んでいてもよいが、階調が変化する方向Ｄ及び階調が変化する方向Ｄに直交する方向に沿って並ぶことが好ましい。例えば、図形３０は、図２のような六方格子状に配置されることが好ましいが、正方格子状に配置されてもよい。また、階調が変化する方向Ｄと直交する方向において、図形３０は等間隔に配置されることが好ましい。なお、図形３０が六方格子状に配置されるとは、複数の三角形が、各々の辺を隣接する三角形の一辺と共有するような配置において、各三角形の頂点に対応する位置に図形３０が配置されることをいう。また、図形３０が正方格子状に配置されるとは、複数の四角形が、各々の辺を隣接する四角形の一辺と共有するような配置において、各四角形の頂点に対応する位置に図形３０が配置されることをいう。
【００４３】
グラデーション印刷層３における図形３０の面積は、減少するのみでもよく、減少及び増加を周期的に繰り返してもよい。グラデーション印刷層３における図形３０の面積が減少及び増加を周期的に繰り返すことにより、より複雑なグラデーション模様を形成することができる。
【００４４】
グラデーション印刷層３は、例えば、基材層１又は下地層２上にインクを塗布することにより得られる。なお、本明細書においてインクとは、色材及び溶剤を含有する組成物である。上記色材としては、顔料、染料、酸化チタン等の無機フィラーが挙げられる。
【００４５】
＜下地層＞
下地層２は、グラデーション印刷層３により形成されるグラデーション模様の下地を構成するものである。下地層２を設けることにより、グラデーションフィルム１０の意匠性を高めることができる。下地層２としては、例えば、面状印刷層、有色フィルム、金属蒸着膜、又はこれらの組み合わせ等が挙げられる。
【００４６】
上記面状印刷層とは、下地層２は、間断なく面状（面一状）に形成された有色層であって、上記面内に基材層１が露出していない層をいう。上記面状印刷層は、特に限定されず、例えば、基材層１上にインクを塗布することにより得られ、青色、黄色、赤色、黒色等、所望の色を単色又は複数色用いることにより形成することができる。この場合、下地層２は、例えば、グラデーション印刷層３の形成において挙げたインクと色のみが異なるインクを、面状に塗布（ベタ塗り）することにより形成することができる。
【００４７】
上記有色フィルムとしては、例えば、顔料、染料、酸化チタン等の無機フィラー等を含有する樹脂組成物からなるものが挙げられる。上記有色フィルムは、遮蔽性を有してもよいし、透明性を有してもよい。
【００４８】
上記金属蒸着膜としては、例えば、アルミ、スズ、又は、インジウム等を含むものが挙げられる。上記金属蒸着膜を形成する方法としては、例えば、真空蒸着法、スパッタリング法、イオンプレーティング法等の蒸着法が挙げられる。
【００４９】
＜オーバーコート層＞
オーバーコート層４は、グラデーション印刷層３の表面を覆い、グラデーション印刷層３を保護するものである。オーバーコート層４は、特に限定されず、オーバーコート層４に含まれる材料としては、具体的には、ポリ塩化ビニル；アクリル樹脂；ポリカーボネート；ポリエチレン、ポリプロピレン、ポリブテン、ポリブタジエン等のポリオレフィン；ポリウレタン；ポリエチレンテレフタレート（ＰＥＴ）、ポリブチレンテレフタレート、ポリエチレンナフタレート等のポリエステル等が挙げられる。なかでも、オーバーコート層４は、ポリ塩化ビニル、アクリル樹脂又はポリカーボネートを含むことが好ましい。このような態様とすることにより、グラデーションフィルム１０の平滑性を高めることが可能となる。ここで、上記材料は、単独で使用されてもあるいは２種以上の混合物の形態で使用されてもよい。また、オーバーコート層４は透明であることが好ましい。オーバーコート層４が透明であることにより、グラデーション印刷層３に形成されたグラデーション模様の視認性を確保することができる。オーバーコート層４は、無色透明であってもよいが、有色透明であってもよい。オーバーコート層４を有色透明とすることにより、グラデーションフィルム１０の意匠性をより高めることができる。なお、本明細書において透明とは、可視光の透過率が６０％以上であることを示し、好ましくは可視光の透過率が８０％以上であり、特に好ましくは可視光の透過率が９０％以上である。
【００５０】
また、オーバーコート層４には、金属粒子が含まれていてもよい。このような態様とすることにより、グラデーションフィルム１０に光沢を付与することが可能となり、グラデーションフィルム１０の意匠性を高めることができる。
【００５１】
オーバーコート層４の膜厚は、２μｍ以上、２００μｍ以下であることが好ましい。このような態様とすることにより、グラデーションフィルム１０の表面を保護する機能を高め、かつ、グラデーションフィルム１０の透明性を向上させることができる。また、オーバーコート層４とグラデーション印刷層３とは、粘着剤層を介して積層されていてもよい。
【００５２】
＜粘着剤層＞
グラデーションフィルム１０は、基材層１の、グラデーション印刷層３とは反対側の面に、粘着剤層を有していてもよい。粘着剤層を有することにより、グラデーションフィルム１０を容易に成型品へ貼付することができる。
【００５３】
粘着剤層は、粘着機能（感圧接着性）を有するものであれば特に限定されず、具体的には、アクリル系粘着剤、ゴム系粘着剤、シリコーン系粘着剤等の粘着剤を含有するものが挙げられる。なかでも、粘着性、加工性、耐熱老化性、耐湿老化性、耐候性に優れるとともに、比較的安価である点から、アクリル系粘着剤が好適に用いられる。粘着剤層の厚さは、１０μｍ以上、６０μｍ以下が好ましい。粘着剤層の厚さのより好ましい下限は、２０μｍ、より好ましい上限は、５０μｍである。
【００５４】
＜セパレータ＞
グラデーションフィルム１０は、更に、セパレータを有していてもよい。セパレータを設けることにより、グラデーションフィルム１０の製造、運搬、保存中に上記粘接着剤層が露出しないようにして、上記粘接着剤層の劣化防止や、グラデーションフィルム１０の取扱い性向上が可能となる。セパレータは、成形品への貼付の直前に剥離すればよい。セパレータは、上記粘着剤層に貼着される面に離型処理が施されたものであればよく、特に限定されるものではない。セパレータとしては、離型フィルムや離型紙等が挙げられる。
【００５５】
上記離型フィルム及び上記離型紙としては、フィルムの分野において通常使用されるものを用いることができる。上記離型フィルムとしては、例えば、ポリエチレンテレフタレート（ＰＥＴ）フィルム等の表面をシリコーン系、アルキド系、フッ素系剥離剤等でコーティングしたものが挙げられる。上記離型紙としては、例えば、上質紙の表面をシリコーン系、アルキド系、フッ素系剥離剤等でコーティングしたものが挙げられる。上記離型フィルム又は離型紙は、上記粘着剤層側の表面だけ表面処理が施されてもよい。
【００５６】
［実施形態１の変形例１］
上記実施形態１では、図形３０は一色から構成されたが、図形３０は２色から構成されてもよい。図３は、実施形態１の変形例１に関する図であり、（ａ）はグラデーションフィルムを示した断面模式図であり、（ｂ）はグラデーション印刷層を示した拡大平面模式図である。図３に示すように、本変形例１のグラデーションフィルム１０Ａは、基材層１、下地層２、グラデーション印刷層３Ａ及びオーバーコート層４が順に積層された積層体である。
【００５７】
グラデーション印刷層３Ａは、第１の色から構成される複数の第１の図形３１Ａと、第１の色とは異なる第２の色から構成される複数の第２の図形３２Ａとを含み、複数の第１の図形３１Ａの面積が減少する方向と、複数の第２の図形３２Ａの面積が減少する方向とは、互いに異なっている。すなわち、グラデーション印刷層３Ａは一層から構成され、グラデーション印刷層３Ａ内に、複数の第１の図形３１Ａ及び複数の第２の図形３２Ａが配置されている。このような態様とすることにより、より複雑なグラデーション模様を形成することが可能となる。なお、本明細書において、複数の第１の図形３１Ａ及び複数の第２の図形３２Ａのうち、一方の図形の面積の減少する方向が複数存在する場合は、一方の図形の面積が減少する方向のうち少なくとも１つの方向と、他方の図形の面積が減少する方向とが互いに異なればよい。例えば、一方の図形の面積が減少する方向のうち少なくとも１つの方向と、他方の図形の面積が減少する方向とは互いに逆方向（反対方向）であってもよい。また、複数の第１の図形３１Ａ及び複数の第２の図形３２Ａのそれぞれについて、図形の面積が減少する方向が複数存在する場合は、一方の図形の面積が減少する方向のうち少なくとも１つの方向と、他方の図形の面積が減少する方向のうち少なくとも１つの方向とが互いに異なればよい。例えば、一方の図形の面積が減少する方向のうち少なくとも１つの方向と、他方の図形の面積が減少する方向のうち少なくとも１つの方向とは互いに逆方向（反対方向）であってもよい。
【００５８】
本変形例では、第１の色及び第２の色の２色を用いてグラデーション印刷層３Ａを形成したが、３色以上を用いて、グラデーション印刷層３Ａを形成してもよい。
【００５９】
［実施形態１の変形例２］
上記変形例１では、１層から構成されるグラデーション印刷層３Ａ内に、複数の第１の図形３１Ａ及び複数の第２の図形３２Ａが配置されたが、複数の第１の図形３１Ａと複数の第２の図形３２Ａとは異なるグラデーション印刷層に配置されてもよい。
【００６０】
図４は、実施形態１の変形例２に関する図であり、（ａ）はグラデーションフィルムを示した断面模式図であり、（ｂ）はグラデーション印刷層を示した拡大平面模式図である。図４に示すように、本変形例２のグラデーションフィルム１０Ｂは、基材層１、下地層２、グラデーション印刷層３Ｂ及びオーバーコート層４が順に積層された積層体であり、グラデーション印刷層３Ｂは、第１のグラデーション印刷層３Ｂ１及び第２のグラデーション印刷層３Ｂ２から構成される。
【００６１】
第１のグラデーション印刷層３Ｂ１は、第１の色から構成される複数の第１の図形３１Ｂを含み、第２のグラデーション印刷層３Ｂ２は、第１の色とは異なる第２の色から構成される複数の第２の図形３２Ｂとを含み、複数の第１の図形３１Ｂの面積が減少する方向と、複数の第２の図形３２Ｂの面積が減少する方向とは、互いに異なっている。すなわち、グラデーション印刷層３Ｂは二層から構成され、複数の第１の図形３１Ｂは、複数の第２の図形３２Ｂとは異なる層に配置されている。このような態様とすることにより、より複雑なグラデーション模様を形成することが可能となる。
【００６２】
本変形例では、第１の色を用いて第１のグラデーション印刷層３Ｂ１を形成し、第２の色を用いて第２のグラデーション印刷層３Ｂ２を形成したが、更なる色を用いて、更なるグラデーション印刷層を形成してもよい。すなわち、互いに異なる色を用いて形成されたグラデーション印刷層を３層以上積層してもよい。
【００６３】
［実施形態２］
（加飾成形品）
本実施形態の加飾成形品は、成形品と、上記成形品を覆うグラデーションフィルム１０とを備え、上記成形品とグラデーションフィルム１０とは、粘着剤層を介して積層されている。
【００６４】
図５は、実施形態２の加飾成形品の一例を模式的に示した断面図である。図５に示したように、加飾成形品１００は、成形品２０の表面をグラデーションフィルム１０が被覆している。成形品２０とグラデーションフィルム１０とは、粘着剤層５を介して接着されている。
【００６５】
グラデーションフィルム１０の施工方法は、例えば、離型フィルム又は離型紙を剥離したグラデーションフィルム１０を成形品２０に重ね、真空成形、圧空成形、真空・圧空成形、インモールド成形、フィルムインサート成形、ラミネート等の方法を用いて施工する方法が挙げられる。なかでも、真空・圧空成形を用いることが好ましい。
【００６６】
真空・圧空成形は、ＴＯＭ（Ｔｈｒｅｅ  ｄｉｍｅｎｓｉｏｎ  Ｏｖｅｒｌａｙ  Ｍｅｔｈｏｄ）ともいい、例えば、真空・圧空成形装置を用いて行うことができる。真空・圧空成形の一例を説明すると、まず、離型フィルム又は離型紙を剥離したグラデーションフィルム１０と、成形品２０とを大気圧状態で、成形室内にセットする。次に、成形室を気密状態とした後、真空タンクを用いて真空吸引し、成形室内を真空状態とする。続いて、真空状態を維持しつつ、ヒーターを用いて所望の成形温度まで加熱し、グラデーションフィルム１０を軟化させる。軟化させたグラデーションフィルム１０に成形品２０を接触させた後、成形室の真空を開放して大気圧状態とし、更に成形室内に圧空タンクから圧縮空気を入れることにより、グラデーションフィルム１０を成形品２０に押圧させ、その形状に沿って張り付ける。その後、必要に応じて、成形品２０からはみ出た余剰フィルムをトリミングする。これにより、グラデーションフィルム１０が粘着剤層５を介して成形品２０に貼り付けられた加飾成形品１００を得ることができる。
【００６７】
成形品２０の材質は、特に限定されず、例えば、ポリカーボネート、アクリル樹脂、スチレン樹脂、アクリロニトリル−ブタジエン−スチレン共重合体（ＡＢＳ樹脂）等の樹脂；鉄、銅、アルミニウム等の金属；合金等が挙げられる。
【００６８】
成形品２０としては、特に限定されないが、例えば、自転車、バイク、自動車、バス、電車等の車両；ヘルメット；船；飛行機、ヘリコプター等の航空機；家具、家電製品等の家庭用品；キャビネット、事務机、パソコン等のオフィス用品；建造物の壁面、床面、天井、屋根、柱、看板、ドア、門；若しくは建築現場の建築材料等、又は、これらの部品が挙げられる。成形品２０としては、自動二輪・自動四輪の車両製品又は建造物の壁面であることが好ましい。
【００６９】
［実施形態３］
（グラデーションフィルムの製造方法）
本実施形態では、実施形態１のグラデーションフィルム１０の製造方法について説明する。本実施形態のグラデーションフィルム１０の製造方法は、少なくとも１色のインクを用いたスクリーン印刷により、グラデーション模様を有するグラデーション印刷層３を形成する印刷工程を有し、上記印刷工程では、メッシュ数が１ｃｍ２あたり１００個以上、２００個以下のスクリーン版を用い、かつ、上記メッシュ１個に対して充填される上記インクの量を、上記グラデーション模様の階調が変化する方向Ｄに沿って減少させる。更に、上記スクリーン版の上記メッシュの形状は、上記グラデーション模様の階調が変化する方向Ｄにおける上記形状の最大の長さをＡ、上記階調が変化する方向Ｄと直交する方向における上記形状の最大の長さをＢとしたとき、０．８≦Ｂ／Ａ≦１を満たす。
【００７０】
上記印刷工程では、上記インクが透過可能な箇所が形成されたメッシュスクリーンを有するスクリーン版を用いることができる。上記スクリーン版としては、特に限定されないが、上記メッシュスクリーンをフレームに取り付けたものが挙げられる。上記印刷工程では、スクリーン版のフレームの枠内にインクを注いでメッシュにインクを充填し、メッシュスクリーンの上側からインクを加圧し、インクをスクリーン版の下方に透過させることにより印刷を行う。メッシュ１個に対して充填されるインクの量は、上記実施形態１、実施形態１の変形例１及び実施形態１の変形例２に係る加飾成形品における図形３０、３１Ａ、３１Ｂ、３２Ａ、３２Ｂの面積等を考慮して適宜調整される。
【００７１】
本実施形態では、上記メッシュ１個に対して充填される上記インクの量を変化させることで、上記グラデーション模様の階調を変化させることができる。具体的には、上記メッシュ１個に対して充填される上記インクの量を、上記グラデーション模様の階調が変化する方向Ｄに沿って減少させることで、グラデーション模様を実現することができる。
【００７２】
上記メッシュの形状は、上記グラデーション模様の階調が変化する方向Ｄにおける上記形状の最大の長さをＡ、上記階調が変化する方向Ｄと直交する方向における上記形状の最大の長さをＢとしたとき、０．８≦Ｂ／Ａ≦１を満たす。上記メッシュの形状が０．８≦Ｂ／Ａ≦１を満たすことにより、近距離及び遠距離での美観を向上させることができる。
【００７３】
上記メッシュの形状は、０．８３≦Ｂ／Ａ≦１を満たすことが好ましい。このような態様とすることにより、近距離及び遠距離でのグラデーションの美観をより向上させることができる。上記メッシュの形状は、０．８５≦Ｂ／Ａ≦１を満たすことがより好ましい。
【００７４】
上記メッシュの形状は０．８≦Ｂ／Ａ≦１を満たせばよく、例えば、円形、楕円形、多角形、涙滴形等を挙げることができる。多角形としては、三角形、四角形、五角形、六角形等が挙げられる。四角形としては、長方形、正方形、平行四辺形、ひし形等が挙げられる。涙滴形とは、円弧状の先端部と、上記円弧状の先端部から後方に延在して互いに交わって終端する二つの側面部とを有する形状をいう。
【００７５】
上記メッシュの形状は、円形（Ｂ／Ａ＝１）又は正方形（Ｂ／Ａ＝１）であることが好ましい。上記メッシュの形状を円形又は正方形とすることにより、近距離及び遠距離でのグラデーションの美観をより向上させることができる。
【００７６】
上記メッシュ数は、１ｃｍ２あたり１００個以上、２００個以下である。上記メッシュ数が１ｃｍ２あたり１００個以上、２００個以下であることにより、ドットジャンプを抑制することができる。なお、本明細書において、メッシュとは、メッシュスクリーンに形成された、インクが透過可能な箇所をいい、メッシュ数とは、メッシュスクリーンに形成された、インクが透過可能な箇所の数をいう。また、１ｃｍ２あたりのメッシュ数は、メッシュの密度ともいう。
【００７７】
上記メッシュ数は、１ｃｍ２あたり１１０個以上、１９０個以下であることが好ましい。このような態様とすることにより、ドットジャンプをより抑制することができる。上記メッシュ数は、１ｃｍ２あたり１２０個以上、１８０個以下であることがより好ましい。
【００７８】
グラデーションフィルム１０におけるグラデーション印刷層３は、例えば、基材層１又は下地層２上にインクを塗布することにより形成することができる。上記グラデーション印刷層３の形成に用いるインクとしては、基材層１との親和性向上の観点から、樹脂、溶媒及び着色剤を含有する樹脂系インクが好ましい。つまり、グラデーション印刷層３は、樹脂系インクにより形成されることが好ましい。上記樹脂系インクが含有する樹脂としては、基材層１との親和性の観点から、アクリル樹脂が好ましい。アクリル樹脂とは、（メタ）アクリル酸アルキルエステルの単独重合体又はこれらの共重合体等である。
【００７９】
上記インクの塗布方法としては、スクリーン印刷法、インクジェット印刷法等が挙げられるが、グラデーション印刷層３は、スクリーン印刷法を用いて形成されることが好ましい。このような態様とすることにより、グラデーション印刷層３の形成速度を高めること可能となる。また、スクリーン印刷では、ドット模様を形成する際のインクの塗布量が多く、インクに含まれる各種添加剤（例えば、紫外線吸収剤）の含有量が多いため、スクリーン印刷でグラデーション印刷層３を形成することにより、耐候性（屋外耐久性）に優れたグラデーションフィルム１０を得ることができる。また、スクリーン印刷でグラデーション印刷層３を形成することにより、明度に優れたグラデーションフィルム１０を得ることができる。
【００８０】
グラデーションフィルム１０における下地層２として面状印刷層を設ける場合、上記面状印刷層は、例えば、基材層１上に下地層用インクを面状に塗布することにより得られ、青色、黄色、赤色、黒色等、所望の色を単色又は複数色用いることにより形成することができる。上記下地層用インクを面状に塗布する方法としては、スクリーン印刷法、インクジェット印刷法等が挙げられるが、下地層２は、スクリーン印刷法を用いて形成されることが好ましい。スクリーン印刷では、インクの塗布量が多く、インクに含まれる各種添加剤（例えば、紫外線吸収剤）の含有量が多いため、スクリーン印刷法を用いて下地層２を形成することにより、耐候性に優れたグラデーションフィルム１０を得ることができる。
【００８１】
グラデーションフィルム１０における下地層２として有色フィルムを設ける場合、上記有色フィルムは、例えば、顔料、染料、酸化チタン等の無機フィラー等を含有する樹脂組成物を塗布することにより形成することができる。
【００８２】
グラデーションフィルム１０における下地層２として金属蒸着膜を設ける場合、上記金属蒸着膜は、例えば、アルミ、スズ、又は、インジウム等を真空蒸着法、スパッタリング法、イオンプレーティング法等の蒸着法を用いて蒸着させることにより形成することができる。
【００８３】
下地層２は、面状印刷層、有機フィルム及び金属蒸着膜のいずれか一つであってもよいし、これらを組み合わせてもよい。
【００８４】
グラデーションフィルム１０におけるオーバーコート層４は、例えば、グラデーション印刷層３上に、樹脂組成物を塗布することにより形成することができる。上記樹脂組成物に含まれる材料としては、アクリル樹脂；ポリカーボネート；ポリエチレン、ポリプロピレン、ポリブテン、ポリブタジエン等のポリオレフィン；ポリ塩化ビニル；ポリウレタン；ポリエチレンテレフタレート（ＰＥＴ）、ポリブチレンテレフタレート、ポリエチレンナフタレート等のポリエステル等が挙げられる。
【００８５】
オーバーコート層４は、グラビアコーター、リバースコーター、ナイフコーター、ロールコーター等を用いた公知の塗布方法を用いて、樹脂組成物を塗布することにより形成することができる。上記樹脂組成物は、ポリ塩化ビニル、アクリル樹脂又はポリカーボネートを含むことが好ましく、アクリル樹脂又はポリカーボネートを含むことがより好ましい。オーバーコート層４を塗布により設ける場合、オーバーコート層の膜厚は、２μｍ以上、１０μｍ以下であることが好ましく、３μｍ以上、７μｍ以下であることがより好ましい。具体的には、約５μｍの樹脂層が挙げられる。
【００８６】
また、オーバーコート層４は、グラデーション印刷層３上に樹脂フィルムを積層することにより形成してもよい。上記樹脂フィルムとしては、ポリ塩化ビニルを含むフィルム、アクリル樹脂を含むフィルム、ポリカーボネートを含むフィルム、ポリ塩化ビニルを含むフィルムを用いることが好ましく、ポリ塩化ビニルを含むフィルムを用いることがより好ましく、可塑剤を含まない透明な硬質ＰＶＣフィルムを用いることが更に好ましい。オーバーコート層４は、粘着剤層を介してグラデーション印刷層３上に樹脂フィルムを貼り付けることにより形成されてもよい。オーバーコート層４を積層することにより設ける場合、オーバーコート層の膜厚は、６０μｍ以上、１８０μｍ以下であることが好ましく、１００μｍ以上、１５０μｍ以下であることがより好まし。具体的には、約１３０μｍの樹脂フィルムが挙げられる。
【００８７】
［実施形態３の変形例１］
上記実施形態３では、１色のインクを用いてスクリーン印刷を行う形態を説明したが、２色のインクを用いてスクリーン印刷を行ってもよい。本変形例では、グラデーション印刷層が２色から構成される実施形態１の変形例１に係るグラデーションフィルム１０Ａの製造方法について説明する。
【００８８】
本実施形態の製造方法における印刷工程では、第１の色を有する第１のインクと、上記第１の色とは異なる第２の色を有する第２のインクとを用い、１回のスクリーン印刷により、グラデーション印刷層３Ａを形成する。上記メッシュ１個に対して充填される、上記第１のインクの量が減少する方向と、上記第２のインクの量が減少する方向とは、互いに異なる。このような態様とすることにより、グラデーション印刷層３Ａ内に、複数の第１の図形３１Ａ及び複数の第２の図形３２Ａを配置することができ、より複雑なグラデーション模様を形成することが可能となる。
【００８９】
なお、本明細書において、第１のインク及び第２のインクのうち、一方のインクの量が減少する方向が複数存在する場合は、一方のインクの量が減少する方向のうち少なくとも１つの方向と、他方のインクの量が減少する方向とが互いに異なればよい。また、第１のインク及び第２のインクのそれぞれについて、インクの量が減少する方向が複数存在する場合は、一方のインクの量が減少する方向のうち少なくとも１つの方向と、他方のインクの量が減少する方向のうち少なくとも１つの方向とが互いに異なればよい。
【００９０】
［実施形態３の変形例２］
上記実施形態３では、１色のインクを用いてスクリーン印刷を行う形態を説明したが、２色のインクを用いてスクリーン印刷を行ってもよい。本変形例では、グラデーション印刷層が２色から構成される実施形態１の変形例２に係るグラデーションフィルム１０Ｂの製造方法について説明する。
【００９１】
本実施形態の製造方法における印刷工程では、第１のインクを用いて第１のグラデーション印刷層３Ｂ１を形成し、上記第１のグラデーション印刷層３Ｂ１上に、上記第２のインクを用いて第２のグラデーション印刷層３Ｂ２を形成することにより、前記グラデーション印刷層を形成する。上記メッシュ１個に対して充填される、上記第１のインクの量が減少する方向と、上記第２のインクの量が減少する方向とは、互いに異なる。このような態様とすることにより、上記第１のインクから構成される複数の第１の図形３１Ｂと、上記第２のインクから構成される複数の第２の図形３２Ｂとを、互いに異なる層に、すなわち、第１のインクから構成される複数の第１の図形３１Ｂを第１のグラデーション印刷層３Ｂ１に配置し、上記第２のインクから構成される複数の第２の図形３２Ｂを第２のグラデーション印刷層３Ｂ２に配置することが可能となる。その結果、より複雑なグラデーション模様を形成することが可能となる。
【実施例】
【００９２】
以下、本発明について実施例を掲げて更に詳しく説明するが、本発明はこれらの実施例のみに限定されるものではない。
【００９３】
（実施例１）
平均重合度が８００のポリ塩化ビニル系樹脂１００重量部に対して、フタル酸系可塑剤を１５重量部添加し、バンバリーミキサーで溶融混練後、カレンダー本体の各ロールを通して支持体を作製し、膜厚２５０μｍの基材層を得た。
上記基材層上に、黄緑色のインクを面状に塗布（ベタ塗り）し、黄緑色の下地層を形成した。
【００９４】
メッシュの形状が正方形（Ｂ／Ａが略１）であり、かつ、メッシュ数が１ｃｍ２あたり１３１個であるスクリーン版を用意した。グラデーション模様の階調を低下させたい方向にインクの量が減少するよう、上記スクリーン版上に青色インクを注ぎ、上記下地層上に上記青色インクをスクリーン印刷し、グラデーション印刷層を形成し、積層体を得た。グラデーション印刷層において、グラデーション模様を構成する図形は、１ｃｍ２あたり１３１個配置されていた。
【００９５】
上記積層体の基材層側に膜厚４０μｍの第１粘着剤層を形成した。上記積層体を、上記第１粘着剤層を介し、真空・圧空成形を用いて、二輪車の外装部材（成形品）に貼り付けた。更に、真空・圧空成形を用いて、上記積層体のグラデーション印刷層上に、膜厚４０μｍの第２粘着剤層を介して、アクリル樹脂を含むフィルム（オーバーコート層）を積層した。上記アクリル樹脂を含むフィルムの膜厚は１３０μｍであった。このようにして実施例１のグラデーションフィルム及び実施例１のグラデーションフィルムを備えた実施例１の加飾成形品を得た。なお、実施例１のグラデーションフィルムは、基材層、下地層、グラデーション印刷層、第２粘着剤層及びオーバーコート層をこの順に有するフィルムである。
【００９６】
更に、上記実施例１で得られたグラデーションフィルムについて、グラデーション模様を構成する図形の形状を次の方法により詳細に評価した。図６は、実施例１のグラデーションフィルムにおけるグラデーション模様の評価方法を説明した図である。図６に示すように、実施例１のグラデーションフィルムを、縦４００ｍｍ、横７００ｍｍに裁断し、青色の濃度の高い側を上側に置き、青色の濃度が高い側を上端、青色の濃度が低い側を下端、左側を左端、右側を右端としたとき、上端から下端に向かって１４０〜１８０ｍｍ、左端から右端に向かって２０ｍｍ〜６０ｍｍの範囲における４０ｍｍ四方の領域（以下、１６０ｍｍ領域ともいう）について、複数の図形の形状を評価した。
【００９７】
図形の形状の評価にあたっては、１６０ｍｍ領域を上端から下端に向かって３分割して上部、中部及び下部の３つのサブ領域とし、各々のサブ領域について任意の３つの図形のＢ／Ａ（個別値）を算出した後、各々のサブ領域について３つのＢ／Ａ（個別値）を平均してＢ／Ａ（サブ領域）を求めた。更に、３つのサブ領域から算出した３つのＢ／Ａ（サブ領域）を平均して、１６０ｍｍ領域のＢ／Ａを求めた。１６０ｍｍ領域における図形の形状を図７に示した。１６０ｍｍ領域におけるＢ／Ａは０．９２であり、０．８≦Ｂ／Ａ≦１が満たされていた。
【００９８】
（実施例２）
メッシュの形状を、正方形から円に変更した以外は、実施例１と同様にして実施例２のグラデーションフィルム及び加飾成形品を得た。実施例１と同様にして、実施例２で得られたグラデーションフィルムのグラデーション模様を構成する図形のＢ／Ａを測定したところ、１．００であった。
【００９９】
（実施例３）
スクリーン版のメッシュ数を１ｃｍ２あたり１００個に変更したこと以外は、実施例１と同様にして実施例３のグラデーションフィルム及び加飾成形品を得た。実施例１と同様にして、実施例３で得られたグラデーションフィルムのグラデーション模様を構成する図形のＢ／Ａを測定したところ、０．９６であった。
【０１００】
（実施例４）
スクリーン版のメッシュ数を１ｃｍ２あたり２００個に変更したこと以外は、実施例１と同様にして実施例４のグラデーションフィルム及び加飾成形品を得た。実施例１と同様にして、実施例４で得られたグラデーションフィルムのグラデーション模様を構成する図形のＢ／Ａを測定したところ、０．８９であった。
【０１０１】
（比較例１）
メッシュの形状を、Ｂ／Ａ＝０．７０である楕円に変更した以外は、実施例１と同様にして比較例１のグラデーションフィルム及び加飾成形品を得た。実施例１と同様にして、比較例１で得られたグラデーションフィルムのグラデーション模様を構成する図形のＢ／Ａを測定したところ、０．７０であった。
【０１０２】
（比較例２）
スクリーン版のメッシュ数を１ｃｍ２あたり８７個に変更したこと以外は、実施例１と同様にして比較例２のグラデーションフィルム及び加飾成形品を得た。実施例１と同様にして、比較例２で得られたグラデーションフィルムのグラデーション模様を構成する図形のＢ／Ａを測定したところ、０．９８であった。
【０１０３】
（比較例３）
スクリーン版のメッシュ数を１ｃｍ２あたり２１０個に変更したこと以外は、実施例１と同様にして比較例３のグラデーションフィルム及び加飾成形品を得た。実施例１と同様にして、比較例３で得られたグラデーションフィルムのグラデーション模様を構成する図形のＢ／Ａを測定したところ、０．８８であった。
【０１０４】
（比較例４）
メッシュの形状を、Ｂ／Ａ＝１．０５である楕円に変更した以外は、実施例１と同様にして比較例４のグラデーションフィルム及び加飾成形品を得た。実施例１と同様にして、比較例４で得られたグラデーションフィルムのグラデーション模様を構成する図形のＢ／Ａを測定したところ、１．０５であった。
【０１０５】
（実施例１〜４及び比較例１〜４の評価）
実施例１〜４及び比較例１〜４の加飾成形品について、以下の方法により、（１）近距離でのグラデーションの美観、（２）遠距離でのグラデーションの美観、（３）明度、（４）屋外耐久性、及び（５）ドットジャンプを評価した。結果を下記表１に示す。
【０１０６】
（１）近距離でのグラデーションの美観（近距離での美観）
蛍光灯及び太陽光の下で、加飾成形品を約４０ｃｍの距離で目視し、以下の基準により評価した。
〇：グラデーション模様を構成する図形を視認することができない。
×：グラデーション模様を構成する図形を視認することができて意匠が粗いと感じる。
【０１０７】
（２）遠距離でのグラデーションの美観（遠距離での美観）
蛍光灯及び太陽光の下で、目線の高さに配置した加飾成形品を約５ｍの距離で目視し、以下の基準により評価した。
〇：グラデーション模様を構成する図形を視認することができない。
×：グラデーション模様を構成する図形を視認することができて意匠が粗いと感じる。
【０１０８】
（３）明度
加飾成形品の明度を、コニカミノルタ社製の分光測色計（ＣＭ−３６００Ａ）で計測し、以下の基準により評価した。
〇：Ｌ＊値が５０以上
×：Ｌ＊値が５０未満
【０１０９】
（４）屋外耐久性
スガ試験機社製、サンシャインウェザーメーターＳＷＯＭを用いて、加飾成形品の屋外耐久性をＪＩＳ  Ｄ  ０２０５に準拠し評価した。色差ΔＥは、上記分光測色計（ＣＭ−３６００Ａ）で計測した。
〇：４００時間で色差ΔＥが３以下、かつ、１０００時間で著しい変化（色、膨れ、破れ等）がない。
×：４００時間で色差ΔＥが３以上、又は、１０００時間で著しい変化（色、膨れ、破れ等）が見られる。
【０１１０】
（５）ドットジャンプ
蛍光灯及び太陽光の下で、加飾成形品を約４０ｃｍの距離で目視し、以下の基準により評価した。
〇：グラデーション意匠に線を視認できず、滑らかなグラデーションとなっている。
×：グラデーション意匠に線が明確に視認でき、滑らかなグラデーションとなっていない。
【０１１１】
【表１】
2018187855.tif 000003
【０１１２】
上記表１に示すように、実施例１〜４は、比較例１〜４に比べて、近距離及び遠距離での美観に優れ、ドットジャンプが抑制され、かつ、良好な明度及び屋外耐久性を有していた。
【０１１３】
一方、図形のＢ／Ａを０．７０（楕円）とした比較例１の加飾成形品は、近距離での美観及び遠距離での美観に優れなかった。図形の密度を８７個／ｃｍ２とした比較例２の加飾成形品は、近距離での美観に優れず、ドットジャンプも発生していた。図形の密度を２１０個／ｃｍ２とした比較例３の加飾成形品は、近距離での美観及び遠距離での美観に優れず、ドットジャンプも発生していた。図形のＢ／Ａが１．０５（楕円）である比較例４の加飾成形品は、近距離での美観及び遠距離での美観に優れず、ドットジャンプも発生していた。
【符号の説明】
【０１１４】
１：基材層
２：下地層
３、３Ａ、３Ｂ：グラデーション印刷層
３Ｂ１：第１のグラデーション印刷層
３Ｂ２：第２のグラデーション印刷層
４：オーバーコート層
５：粘着剤層
１０、１０Ａ、１０Ｂ：グラデーションフィルム
２０：成形品
３０：図形
３１Ａ、３１Ｂ：第１の図形
３２Ａ、３２Ｂ：第２の図形
１００：加飾成形品
Ｄ、Ｄ１、Ｄ２：階調が変化する方向
【図１】
2018187855.tif 000004
【図２】
2018187855.tif 000005
【図３】
2018187855.tif 000006
【図４】
2018187855.tif 000007
【図５】
2018187855.tif 000008
【図６】
2018187855.tif 000009
【図７】
2018187855.tif 000010